(57)【特許請求の範囲】
【請求項１】
外装体と、該外装体の内側に固定されている吸収性本体とを具備し、前記外装体は、装着時に着用者の腹側に配される腹側部と、装着時に着用者の背側に配される背側部とを有し、前記腹側部及び前記背側部それぞれの両側縁部が接合されて一対のサイドシール部が形成されたパンツ型吸収性物品であって、
前記サイドシール部には、該サイドシール部から幅方向外方に延出する把持部を有し、
前記把持部は、前記外装体の前記腹側部の側縁部から延出する腹側把持部と、前記外装体の前記背側部の側縁部から延出する背側把持部とを有し、前記腹側把持部及び前記背側把持部を重ね合わせて形成されており、該腹側把持部及び該背側把持部を重ね合わせた周縁の少なくとも一部に指先を入れる空間を有しており、
前記腹側把持部及び前記背側把持部の少なくとも何れか一方は、前記パンツ型吸収性物品の幅方向に伸長状態で配された弾性部材を有し、該弾性部材の収縮によりギャザーを形成しており、該ギャザーの形成により前記把持部の前記空間が形成されているパンツ型吸収性物品。
【請求項２】
前記腹側把持部及び前記背側把持部は、それぞれ、前記弾性部材を有し、前記腹側把持部の前記弾性部材の伸長率と前記背側把持部の前記弾性部材の伸長率とが異なる請求項１に記載のパンツ型吸収性物品。
【請求項３】
前記腹側把持部及び前記背側把持部は、それぞれ、前記弾性部材を有し、前記腹側把持部の前記弾性部材又は前記背側把持部の前記弾性部材が複数個に分断されている請求項１に記載のパンツ型吸収性物品。
【請求項４】
前記腹側把持部及び前記背側把持部の少なくとも何れか一方は、エンボスによる凹凸形状を有し、該凹凸形状により前記把持部の前記空間が形成される請求項１に記載のパンツ型吸収性物品。
【請求項５】
前記腹側把持部の幅方向の外方端部及び前記背側把持部の少なくとも何れか一方の幅方向の外方端部は、
内側に折られており、該外方端部が折られることにより前記把持部の前記空間が形成される請求項１に記載のパンツ型吸収性物品。
【請求項６】
前記腹側把持部及び前記背側把持部は、それぞれ、前記外装体と別体である請求項１〜５の何れかに記載のパンツ型吸収性物品。
【発明の詳細な説明】
【技術分野】
【０００１】
本発明は、使い捨ておむつ等のパンツ型吸収性物品に関する。
【背景技術】
【０００２】
従来のパンツ型吸収性物品として、腹側シートの左右の両側縁部と背側シートの左右両側縁部とを接合した一対のサイドシール部を有するパンツ型吸収性物品が知られている。例えば、パンツ型吸収性物品であるパンツ型使い捨ておむつは、使用後に、サイドシール部を引き裂いて取り外されるため、サイドシール部の引き裂き易いパンツ型使い捨ておむつが知られている。例えば、特許文献１には、前方本体パネル及び後方本体パネルの横方向両側部縁部に、一対の側部接続部を有し、各側部接続部が、再固定可能な固定手段を有しているパンツおしめが記載されている。
【０００３】
このような特許文献１に記載のパンツおしめは、各側部接続部に、各側部接続部を開放するときにフィンガーグリップとして機能する凹部を有しているため、容易に各側部接続部を分離することができ、取り外すことができる。しかしながら、特許文献１に記載のパンツおしめの側部接続部は、前方本体パネルの横方向両側部縁部及び後方本体パネルの横方向両側部縁部それぞれが密着した状態で接続されているため、やはり容易に取り外すことができない。
【先行技術文献】
【特許文献】
【０００４】
【特許文献１】特表２００９−５１９８０６号公報
【発明の概要】
【発明が解決しようとする課題】
【０００５】
したがって、本発明の課題は、腹側シートの左右の両側縁部と背側シートの左右両側縁部とを接合した一対のサイドシール部を有するパンツ型吸収性物品において、サイドシール部が引き裂き易く、容易に取り外すことができるパンツ型吸収性物品を提供することにある。
【課題を解決するための手段】
【０００６】
本発明は、外装体と、該外装体の内側に固定されている吸収性本体とを具備し、前記外装体は、装着時に着用者の腹側に配される腹側部と、装着時に着用者の背側に配される背側部とを有し、前記腹側部及び前記背側部それぞれの両側縁部が接合されて一対のサイドシール部が形成されたパンツ型吸収性物品であって、前記サイドシール部には、該サイドシール部から幅方向外方に延出する把持部を有し、前記把持部は、前記外装体の前記腹側部の側縁部から延出する腹側把持部と、前記外装体の前記背側部の側縁部から延出する背側把持部とを有し、前記腹側把持部及び前記背側把持部を重ね合わせて形成されており、該腹側把持部及び該背側把持部を重ね合わせた周縁の少なくとも一部に指先を入れる空間を有しているパンツ型吸収性物品を提供するものである。
【発明の効果】
【０００７】
本発明のパンツ型吸収性物品によれば、サイドシール部が引き裂き易く、容易に取り外すことができる。
【図面の簡単な説明】
【０００８】
【図１】図１は、本発明の第１実施形態であるパンツ型使い捨ておむつの斜視図である。
【図２】図２は、図１に示すパンツ型使い捨ておむつを伸長させて拡げた状態を表面シート側から見た平面図である。
【図３】図３は、第１実施形態であるパンツ型使い捨ておむつの把持部の拡大斜視図である。
【図４】図４は、図３のＸ１−Ｘ１線断面図である。
【図５】図５は、第２実施形態であるパンツ型使い捨ておむつの把持部の拡大斜視図である。
【図６】図６は、図５のＸ２−Ｘ２線断面図である。
【図７】図７は、第３実施形態であるパンツ型使い捨ておむつの把持部の拡大斜視図である。
【図８】図８は、図７のＸ３−Ｘ３線断面図である。
【図９】図９は、第４実施形態であるパンツ型使い捨ておむつの把持部の拡大斜視図である。
【図１０】図１０は、図９のＸ４−Ｘ４線断面図である。
【図１１】図１１は、把持部の他の固定状態を示す上面視した図である。
【発明を実施するための形態】
【０００９】
以下、本発明のパンツ型吸収性物品を、その好ましい第１実施形態に基づき、図１〜図４を参照しながら説明する。
【００１０】
第１実施形態のパンツ型使い捨ておむつ１Ａ（以下、「おむつ１Ａ」ともいう。）は、図１に示すように、着用時に着用者の腹側に配される腹側シート２Ａと、着用時に着用者の背側に配される背側シート２Ｂと、腹側シート２Ａ及び背側シート２Ｂに亘って内側に固定された吸収性本体３とを具備し、腹側シート２Ａの両側縁部２ａ，２ａと背側シート２Ｂの両側縁部２ｂ，２ｂとが接合されて一対のサイドシール部４，４が形成されている。
おむつ１Ａは、図１〜図２に示すように、中心線ＣＬに対して左右対称に形成されている。従って以下の説明では、左右対称な部分については、主に、右側について説明する。
【００１１】
第１実施形態のおむつ１Ａについて、詳述すると、おむつ１Ａは、伸長状態（図２参照）において、その長手方向（以下「Ｙ方向」という。Ｙ方向：中心線ＣＬに平行な方向をいう。）に、着用時に、着用者の腹側に配される腹側部Ａと、着用者の背側に配される背側部Ｂと、腹側部Ａと背側部Ｂとの間に位置し、着用者の股間部に配される股下部Ｃを有している。尚、おむつ１Ａの幅方向は、その長手方向（Ｙ方向）に直交する方向（以下「Ｘ方向」という。）である。
【００１２】
おむつ１Ａは、図１に示すように、おむつ１Ａの各サイドシール部４には、サイドシール部４から幅方向（Ｘ方向）外方に延出する把持部５を有している。第１実施形態のおむつ１Ａにおいては、把持部５は、図２に示すように、腹側シート２Ａの側縁部２ａから延出する腹側把持部５ａと、背側シート２Ｂの側縁部２ｂから延出する背側把持部５ｂとを有し、腹側把持部５ａ及び背側把持部５ｂを重ね合わせて形成されており、腹側把持部５ａ及び背側把持部５ｂを重ね合わせた周縁の少なくとも一部に指先を入れる空間５ｃを有している。以下、具体的に説明する。
【００１３】
第１実施形態のおむつ１Ａにおいては、腹側シート２Ａは、図２に示すように、腹側シート本体２０Ａ、及び着用時に腹側シート本体２０Ａの下縁２００に沿って下方に延出する腹側延出部分２１Ａを備えている。ここで、「下方」とは、おむつ１Ａの長手方向（Ｙ方向）におけるおむつ１Ａの中心ＣＴ（図２参照）に向かう方向を意味する。具体的には、腹側シート本体２０Ａは、おむつ１Ａの伸長状態（図２参照）において、おむつ幅方向（Ｘ方向）に長い略長方形状をなしており、おむつ長手方向（Ｙ方向）に沿う左右一対の側縁部２０ａ，２０ａを有しており、左右一対の側縁部２０ａ，２０ａそれぞれから幅方向（Ｘ方向）外方に連続して延出する腹側把持部５ａを有している。腹側延出部分２１Ａは、腹側シート本体２０Ａの下縁２００に沿って腹側シート本体２０Ａから下方に延出しており、おむつ１の伸長状態（図２参照）において、おむつ幅方向（Ｘ方向）に長い長方形状をなしており、おむつ長手方向（Ｙ方向）に沿う左右一対の側縁部２１ａ，２１ａを有している。
【００１４】
第１実施形態のおむつ１Ａにおいては、背側シート２Ｂは、図２に示すように、背側シート本体２０Ｂ及び着用時に背側シート本体２０Ｂの下縁２００に沿って下方に延出する背側延出部分２１Ｂを備えている。ここで、「下方」とは、腹側シート２Ａと同様に、おむつ１Ａの長手方向（Ｙ方向）におけるおむつ１Ａの中心ＣＴ（図２参照）に向かう方向を意味する。具体的には、背側シート本体２０Ｂは、おむつ１Ａの伸長状態（図２参照）において、おむつ幅方向（Ｘ方向）に長い略長方形状をなしており、おむつ長手方向（Ｙ方向）に沿う左右一対の側縁部２０ｂ，２０ｂを有しており、左右一対の側縁部２０ｂ，２０ｂそれぞれから幅方向（Ｘ方向）外方に連続して延出する背側把持部５ｂを有している。背側延出部分２１Ｂは、背側シート本体２０Ｂの下縁２００に沿って背側シート本体２０Ｂから下方に延出しており、おむつ１の伸長状態（図２参照）において、おむつ幅方向（Ｘ方向）に長い長方形状をなしており、おむつ長手方向（Ｙ方向）に沿う左右一対の側縁部２１ｂ，２１ｂを有している。
【００１５】
第１実施形態のおむつ１Ａにおいては、腹側シート２Ａの両側縁部２ａ，２ａの一部と背側シート２Ｂの両側縁部２ｂ，２ｂの一部とが接合されて一対のサイドシール部４，４が形成されている。具体的には、図２に示すように、腹側シート本体２０Ａの側縁部２０ａ，２０ａと背側シート本体２０Ｂの側縁部２０ｂ，２０ｂとが全域で接合されて図１に示す一対のサイドシール部４，４が形成されており、腹側延出部分２１Ａの側縁部２１ａ，２１ａと背側シート本体２０Ｂの側縁部２１ｂ，２１ｂとは接合されていない。また、第１実施形態のおむつ１Ａにおいては、図２に示すように、腹側シート本体２０Ａの両側縁部２０ａ，２０ａそれぞれから延出する腹側把持部５ａと、背側シート本体２０Ｂの両側縁部２０ｂ，２０ｂそれぞれから延出する背側把持部５ｂとが重ね合わされ、図３，図４に示すように、腹側把持部５ａ及び背側把持部５ｂを重ね合わせた周縁の少なくとも一部に指先を入れる空間５ｃを有するように、把持部５が形成されている。
このように、腹側シート本体２０Ａの側縁部２０ａ，２０ａと背側シート本体２０Ｂの側縁部２０ｂ，２０ｂとが接合されて、おむつ１Ａには、図１に示すように、一対のサイドシール部４，４が形成されると共に、ウエスト開口部ＷＯと一対のレッグ開口部ＬＯ，ＬＯとが形成される。この接合には、例えばヒートシール、高周波シール、超音波シール、接着剤等が用いられる。
【００１６】
第１実施形態のおむつ１Ａにおいては、図３，図４に示すように、腹側把持部５ａ及び背側把持部５ｂは、幅方向（Ｘ方向）に伸長状態で配された弾性部材２４を有し、弾性部材２４の収縮によりギャザーを形成しており、ギャザーの形成により把持部５の空間５ｃが形成される。尚、おむつ１Ａにおいては、図３，図４に示すように、腹側把持部５ａ及び背側把持部５ｂの何れもが、弾性部材２４を有しギャザーを形成しているが、腹側把持部５ａ及び背側把持部５ｂの何れか一方のみが、弾性部材２４を有しギャザーを形成していてもよい。
【００１７】
第１実施形態のおむつ１Ａにおいては、腹側シート２Ａ及び背側シート２Ｂとしては、シート間に伸長状態で配された弾性部材２４の収縮によりギャザーを形成し伸縮性を発現するものを用いることができ、図２に示すように、おむつの外面をなす外層シート２２と、外層シート２２の内面側に配された内層シート２３と、両シート２２，２３間に伸長状態で配された複数本の糸状の弾性部材２４とを備え、それぞれ、ウエスト伸縮部Ｇ１，胴回り伸縮部Ｇ２及び延出部分伸縮部Ｇ３を形成している。また、腹側シート２Ａの腹側把持部５ａ及び背側シート２Ｂの背側把持部５ｂは、図３，図４に示すように、外層シート２２が幅方向（Ｘ方向）外方に連続して延出してなる把持部形成延出部５２と、外層シート２２の内面側に配された内層シート２３が幅方向（Ｘ方向）外方に連続して延出してなる把持部形成延出部５３と、両把持部形成延出部５２，５３間に、糸状の弾性部材２４が幅方向（Ｘ方向）外方に連続して延出した伸長状態の複数本の糸状の弾性部材２４とを備え、腹側把持部５ａ及び背側把持部５ｂそれぞれには、ギャザーＧａ，Ｇｂが形成されている。図３，図４に示すように、腹側シート２Ａの腹側把持部５ａがギャザーＧａを形成し、背側シート２Ｂの背側把持部５ｂがギャザーＧｂを形成しているため、腹側把持部５ａ及び背側把持部５ｂを重ね合わせた周縁には、指先を入れる空間５ｃを有する把持部５が形成される。即ち、把持部５においては、腹側把持部５ａ及び背側把持部５ｂを重ね合わせたとしても、腹側把持部５ａのギャザーＧａと背側把持部５ｂのギャザーＧｂにより、重ね合わせた周縁同士が接合されることがなく、重ね合わせた周縁の全周に、指先を入れる空間５ｃが形成される。
【００１８】
腹側把持部５ａに配された糸状の弾性部材２４及び背側把持部５ｂに配された糸状の弾性部材２４は、太さや伸長倍率を調整し、その伸長時の伸長応力が調整できる。第１実施形態のおむつ１Ａにおいては、腹側把持部５ａの有する弾性部材２４の伸長率と背側把持部５ｂの有する弾性部材２４の伸長率とが異なっている。具体的には、腹側把持部５ａにおいては、伸長率１００％に伸長した時の応力が１０ｇｆ（５ｇｆ〜４０ｇｆの範囲の応力であることが好ましい）の弾性部材２４を、伸長率２００％（１０％〜３５０％の範囲とするのが好ましい）でＸ方向に伸長させた状態で両把持部形成延出部５２，５３間に配し固定しているため、ギャザーＧａを形成している。また、背側把持部５ｂにおいては、伸長率１００％に伸長した時の応力が１０ｇｆ（５ｇｆ〜４０ｇｆの範囲の応力であることが好ましい）の弾性部材２４を、伸長率１５０％（１０％〜３５０％の範囲とするのが好ましい）でＸ方向に伸長させた状態で両把持部形成延出部５２，５３間に配し固定しているため、ギャザーＧｂを形成している。ここで、伸長率は、自然長に対する、伸長されて増加した分の長さの割合であり、例えば、長さ１０ｃｍのものを２０ｃｍに伸長するとその伸長率は１００％とされる。尚、第１実施形態のおむつ１Ａにおいては、腹側把持部５ａの有する弾性部材２４の伸長率と背側把持部５ｂの有する弾性部材２４の伸長率とが異なっているが、腹側把持部５ａの有する弾性部材２４及び背側把持部５ｂの有する弾性部材２４に、伸長率１００％に伸長した時の応力が同じであり、伸長率も同じ弾性部材を用いてもよい。
【００１９】
図１に示すサイドシール部４の長手方向（Ｙ方向）の長さは、図２に示すように、腹側シート本体２０Ａ及び背側シート本体２０Ｂの長手方向（Ｙ方向）の長さＬ１と同じであり、腹側シート２Ａの長手方向（Ｙ方向）の長さＬａ及び背側シート２Ｂの長手方向（Ｙ方向）の長さＬｂの何れよりも短く形成されている。腹側シート２Ａには、図２に示すように、サイドシール部４より下方に延出する、長手方向（Ｙ方向）の長さＬ２の腹側延出部分２１Ａが形成されており、背側シート２Ｂには、サイドシール部４より下方に延出する、長手方向（Ｙ方向）の長さＬ３の背側延出部分２１Ｂが形成されている。
【００２０】
着用時に着用者の背側において、着用者の臀部を十分に被覆する観点から、おむつ１Ａにおける腹側延出部分２１Ａ及び背側延出部分２１Ｂは、それらの延出開始位置が、おむつ１Ａの装着時における装着者の鼠径部に対応する位置であることが好ましい。具体的には、腹側延出部分２１Ａの長さＬ２は、サイドシール部４（腹側シート本体２０Ａ）の長さＬ１の５〜１５０％であることが好ましく、２５〜７０％であることがより好ましい。更に、腹側延出部分２１Ａの長さＬ２は、腹側シート２Ａの長さＬａの５〜６０％であることが好ましく、２０〜４０％であることがより好ましい。背側延出部分２１Ｂの長さＬ３は、サイドシール部４（背側シート本体２０Ｂ）の長さＬ１の５〜１５０％であることが好ましく、２５〜７０％であることがより好ましい。更に、背側延出部分２１Ｂの長さＬ３は、背側シート２Ｂの長さＬｂの５〜６０％であることが好ましく、２０〜４０％であることがより好ましい。尚、腹側延出部分２１Ａ及び背側延出部分２１Ｂそれぞれの延出長さＬ２，Ｌ３は、１０ｍｍ以上であることが好ましく、２０ｍｍ以上であることがより好ましい。
【００２１】
図２に示すように、腹側シート２Ａの腹側把持部５ａの長手方向（Ｙ方向）の長さＬ４は、摘み易さの観点から、サイドシール部４（腹側シート本体２０Ａ）の長さＬ１の９〜１００％であることが好ましく、１８〜４５％であることがより好ましい。背側シート２Ｂの背側把持部５ｂの長手方向（Ｙ方向）の長さＬ５は、摘み易さの観点から、サイドシール部４（背側シート本体２０Ｂ）の長さＬ１の９〜１００％であることが好ましく、１８〜４５％であることがより好ましい。腹側把持部５ａの長さＬ４は、１０ｍｍ以上１１０ｍｍ以下であることが好ましく、２０ｍｍ以上５０ｍｍ以下であることがより好ましい。背側把持部５ｂの長さＬ５は、１０ｍｍ以上１１０ｍｍ以下であることが好ましく、２０ｍｍ以上５０ｍｍ以下であることがより好ましい。
【００２２】
また、図２に示すように、腹側把持部５ａの幅方向（Ｘ方向）の長さ（幅）Ｗ１は、摘み易さの観点から、腹側シート本体２０Ａの両側縁部２０ａ，２０ａ間の距離Ｗａの３〜１７％であることが好ましく、６〜１４％であることがより好ましい。背側把持部５ｂの幅方向（Ｘ方向）の長さ（幅）Ｗ２は、摘み易さの観点から、背側シート本体２０Ｂの両側縁部２０ｂ，２０ｂ間の距離Ｗｂの３〜１７％であることが好ましく、６〜１４％であることがより好ましい。腹側把持部５ａの幅Ｗ１は、１０ｍｍ以上６０ｍｍ以下であることが好ましく、２０ｍｍ以上５０ｍｍ以下であることがより好ましい。背側把持部５ｂの幅Ｗ２は、１０ｍｍ以上６０ｍｍ以下であることが好ましく、２０ｍｍ以上５０ｍｍ以下であることがより好ましい。
【００２３】
おむつ１Ａにおいては、図２に示すように、ウエスト伸縮部Ｇ１は、吸収性本体３の長手方向（Ｙ方向）の両端部３ａ，３ａそれぞれより外方に形成されており、延出部分伸縮部Ｇ３は、腹側シート２Ａの腹側延出部分２１Ａ及び背側シート２Ｂの背側延出部分２１Ｂそれぞれに形成されており、胴回り伸縮部Ｇ２は、腹側シート２Ａ及び背側シート２Ｂのそれぞれにおいて、ウエスト伸縮部Ｇ１と延出部分伸縮部Ｇ３との間に形成されている。
【００２４】
吸収性本体３は、図２に示すように、実質的に縦長の長方形状であり、液透過性の表面シート３１、液不透過性（液難透過性）の裏面シート３２、両シート３１，３２間に介在する吸収体３３を備えている。吸収性本体３の長手方向（Ｙ方向）の両側部３ｂ，３ｂには、図２に示すように、液抵抗性又は撥水性で且つ通気性の素材から構成された側方カフス３５，３５が設けられている。各側方カフス３５の自由端部近傍には、弾性部材３４が長手方向（Ｙ方向）に伸長した状態で配されている。側方カフス３５は、おむつの着用時に自由端部側が起立し、吸収性本体３の幅方向への液の流出が阻止される。吸収性本体３は、図２に示すように、腹側シート２Ａ及び背側シート２Ｂに亘って固定されている。尚、図２に示すように、腹側シート２Ａ及び背側シート２Ｂの幅方向（Ｘ方向）の長さは、吸収性本体３の幅方向（Ｘ方向）の長さよりも長く形成されている。
【００２５】
第１実施形態のパンツ型使い捨ておむつ１Ａの形成材料について説明する。
腹側シート２Ａ及び背側シート２Ｂを構成する外層シート２２（把持部形成延出部５２を含む）と内層シート２３（把持部形成延出部５３を含む）としては、通常、使い捨ておむつ等の吸収性物品に用いられるものであれば、特に制限なく用いることができる。例えば、外層シート２２及び内層シート２３としては、撥水性の不織布等を用いることができる。
【００２６】
吸収性本体３を構成する表面シート３１、裏面シート３２、吸収体３３及び側方カフス３５を形成するシートとしては、それぞれ、通常、使い捨ておむつ等の吸収性物品に用いられるものであれば、特に制限なく用いることができる。例えば、表面シート３１としては、親水性且つ液透過性の不織布等を用いることができ、裏面シート３２としては、液不透過性又は撥水性の樹脂フィルムや樹脂フィルムと不織布の積層体等を用いることができる。吸収体３３としては、吸収性ポリマーの粒子及び繊維材料から構成された吸収コアをティッシュペーパによって被覆されているものを用いることができる。側方カフス３５を形成するシートとしては、伸縮性のフィルム、不織布、織物またはそれらの積層シート等を用いることができる。
【００２７】
ウエスト伸縮部Ｇ１，胴回り伸縮部Ｇ２，延出部分伸縮部Ｇ３，腹側把持部５ａのギャザーＧａ及び背側把持部５ｂのギャザーＧｂを形成する弾性部材２４、及び側方カフス３５に配される弾性部材３４としては、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる糸状の伸縮性材料を用いることができる
【００２８】
サイドシール部４の接合には、例えばヒートシール、高周波シール、超音波シール、接着剤等が用いられる。腹側把持部５ａ及び背側把持部５ｂにおける両把持部形成延出部５２，５３間に配された弾性部材２４の固定には、通常、使い捨ておむつ等の吸収性物品に用いられる接着剤や、ヒートエンボス、超音波エンボス、高周波エンボス等の融着手段が用いられる。吸収性本体３と、腹側シート２Ａ及び背側シート２Ｂとの固定部４の固定手段は、通常、使い捨ておむつ等の吸収性物品に用いられる接着剤や、ヒートエンボス、超音波エンボス、高周波エンボス等の融着手段が用いられる。表面シート３１、裏面シート３２、側方カフス３５の固定も同様に、通常、使い捨ておむつ等の吸収性物品に用いられる接着剤やヒートエンボス、超音波エンボス、高周波エンボス等の融着手段が用いられる。
【００２９】
上述した本発明の第１施形態のパンツ型使い捨ておむつ１Ａを使用した際の作用効果について説明する。
第１実施形態のおむつ１Ａは、図１，図３，図４に示すように、サイドシール部４に把持部５を有しており、把持部５が、腹側把持部５ａ及び背側把持部５ｂを重ね合わせた周縁の少なくとも一部に指先を入れる空間５ｃを有している。その為、空間５ｃに指先を入れて、把持部５の腹側把持部５ａ又は把持部５の背側把持部５ｂを摘むことができるので、それを起点にして、サイドシール部４が引き裂き易く、使用後のおむつ１Ａを、容易に取り外すことができる。第１実施形態のおむつ１Ａにおいては、図１に示すように、一対のサイドシール部４，４それぞれに把持部５を有しているので、何れのサイドシール部４の把持部５からでもサイドシール部４を引き裂くことができる。
【００３０】
また、第１実施形態のおむつ１Ａにおいては、図３，図４に示すように、腹側把持部５ａ及び背側把持部５ｂの何れも、弾性部材２４を有し、腹側把持部５ａにギャザーＧａを形成し、背側把持部５ｂにギャザーＧｂを形成している。その為、腹側把持部５ａ及び背側把持部５ｂを重ね合わせたとしても、腹側把持部５ａのギャザーＧａと背側把持部５ｂのギャザーＧｂにより、重ね合わせた周縁同士が接合されることがなく、重ね合わせた周縁には、指先を入れる空間５ｃが形成され易い。特に、第１実施形態のおむつ１Ａにおいては、腹側把持部５ａの有する弾性部材２４の伸長率と背側把持部５ｂの有する弾性部材２４の伸長率とが異なっているので、腹側把持部５ａのギャザーＧａの形状と、背側把持部５ｂのギャザーＧｂの形状が異なっているので、重ね合わせた周縁同士が更に接合されることがなく、重ね合わせた周縁には、指先を入れる空間５ｃが更に形成され易い。
【００３１】
次に、本発明の第２実施形態のパンツ型使い捨ておむつについて、図５〜図６に基づいて説明する。
第２実施形態のパンツ型使い捨ておむつ１Ｂ（以下、「おむつ１Ｂ」ともいう）については、第１実施形態のパンツ型使い捨ておむつ１Ａと異なる点について説明する。特に説明しない点は、第１実施形態のパンツ型使い捨ておむつ１Ａと同様であり、第１実施形態のパンツ型使い捨ておむつ１Ａの説明が適宜適用される。
【００３２】
第２実施形態のおむつ１Ｂにおいては、図５，図６に示すように、背側把持部５ｂにギャザーＧｂが形成されておらず、腹側把持部５ａにのみギャザーＧａが形成されている点が、ギャザーＧａ，Ｇｂが形成されているおむつ１Ａと異なる。以下、具体的に説明する。
【００３３】
第２実施形態のおむつ１Ｂにおいては、図５，図６に示すように、腹側把持部５ａ及び背側把持部５ｂは、それぞれ、弾性部材２４を有し、背側把持部５ｂの弾性部材２４が複数個に分断されている。即ち、背側把持部５ｂの弾性部材２４が、図５，図６に示すように、Ｙ方向に切断するカッターにより切断されており、Ｘ方向に複数個に分断されている。一方、おむつ１Ａにおいては、図５，図６に示すように、腹側把持部５ａは、幅方向（Ｘ方向）に伸長状態で配された弾性部材２４を有し、弾性部材２４の収縮によりギャザーＧａを形成しており、ギャザーの形成により把持部５の空間５ｃが形成される。尚、おむつ１Ｂにおいては、背側把持部５ｂの弾性部材２４が複数個に分断されており、背側把持部５ｂにギャザーが形成されておらず、腹側把持部５ａにギャザーＧａを形成しているが、逆に、腹側把持部５ａの弾性部材２４が複数個に分断されており、旗側把持部５ａにギャザーが形成されておらず、背側把持部５ｂにギャザーＧｂを形成していてもよい。
【００３４】
おむつ１Ｂにおいては、腹側シート２Ａの腹側把持部５ａは、図５，図６に示すように、外層シート２２が幅方向（Ｘ方向）外方に連続して延出してなる把持部形成延出部５２と、外層シート２２の内面側に配された内層シート２３が幅方向（Ｘ方向）外方に連続して延出してなる把持部形成延出部５３と、両把持部形成延出部５２，５３間に、糸状の弾性部材２４が幅方向（Ｘ方向）外方に連続して延出した伸長状態の複数本の糸状の弾性部材２４とを備え、腹側把持部５ａにはギャザーＧａが形成されている。一方、背側シート２Ｂの背側把持部５ｂは、図５，図６に示すように、外層シート２２が幅方向（Ｘ方向）外方に連続して延出してなる把持部形成延出部５２と、外層シート２２の内面側に配された内層シート２３が幅方向（Ｘ方向）外方に連続して延出してなる把持部形成延出部５３と、両把持部形成延出部５２，５３間に、糸状の弾性部材２４が幅方向（Ｘ方向）外方に連続して延出した伸長状態の複数本の糸状の弾性部材２４とを備え、各弾性部材２４が、図５，図６に示すように、Ｙ方向に切断するカッターにより切断されており、Ｘ方向に複数個に分断されている為、背側把持部５ｂにはギャザーが形成されていない。図５，図６に示すように、腹側シート２Ａの腹側把持部５ａがギャザーＧａを形成しているため、腹側把持部５ａ及び背側把持部５ｂを重ね合わせた周縁には、指先を入れる空間５ｃを有する把持部５が形成される。即ち、把持部５においては、腹側把持部５ａ及びギャザーを形成していない背側把持部５ｂを重ね合わせたとしても、腹側把持部５ａのギャザーＧａにより、重ね合わせた周縁同士が接合されることがなく、重ね合わせた周縁の全周に、指先を入れる空間５ｃが形成される。
【００３５】
第２実施形態のパンツ型使い捨ておむつ１Ｂの形成材料について説明する。第２実施形態のおむつ１Ｂについては、第１実施形態のパンツ型使い捨ておむつ１Ａの形成材料と異なる点について説明する。特に説明しない点は、第１実施形態のおむつ１Ａの形成材料と同様であり、第１実施形態のパンツ型の使い捨ておむつ１Ａの説明が適宜適用される。
【００３６】
背側把持部５ｂの弾性部材２４を切断するカッターとしては、ロータリダイカット、シェアカッター、ピンチカッターなどの切り歯と受け歯の組み合わせや、熱シールカット、超音波シールカット、圧接カット、 ウォータージェットカッター等、使い捨ておむつ等の吸収性物品に用いられる切断手段を用いて行うことができる。切断は、サイドシール部４の形成前の背側把持部５ｂの弾性部材２４に対応して行うことが好ましい。サイドシール部４の形成後に切断を行う場合には、腹側把持部５ａの弾性部材２４のＹ方向の位置と背側把持部５ｂの弾性部材２４のＹ方向の位置とを異ならせておき、背側把持部５ｂの弾性部材２４に対応して行うことが好ましい。
【００３７】
上述した本発明の第２実施形態のパンツ型使い捨ておむつ１Ｂを使用した際の作用効果について説明する。
第２実施形態のおむつ１Ｂの効果については、第１実施形態のおむつ１Ａの効果と異なる点について説明する。特に説明しない点は、第１実施形態のおむつ１Ａの効果と同様であり、第１実施形態のパンツ型の使い捨ておむつ１Ａの効果の説明が適宜適用される。
【００３８】
第２実施形態のおむつ１Ｂにおいては、図５，図６に示すように、背側把持部５ｂの弾性部材２４が複数個に分断されており、背側把持部５ｂにギャザーが形成されておらず、腹側把持部５ａにギャザーＧａが形成されている。そのため、製品状態で腹側把持部５ａは幅方向（Ｘ方向）に自然に収縮するが、背側把持部５ｂは自然に伸縮しないため、指先を入れる空間５ｃが形成され易く、より容易に分離することができる。
【００３９】
次に、本発明の第３実施形態のパンツ型使い捨ておむつについて、図７，図８に基づいて説明する。
第３実施形態のパンツ型使い捨ておむつ１Ｃ（以下、「おむつ１Ｃ」ともいう）については、第１実施形態のパンツ型使い捨ておむつ１Ａと異なる点について説明する。特に説明しない点は、第１実施形態のパンツ型使い捨ておむつ１Ａと同様であり、第１実施形態のパンツ型使い捨ておむつ１Ａの説明が適宜適用される。
【００４０】
第３実施形態のおむつ１Ｃは、腹側把持部５ａ及び背側把持部５ｂの何れにもギャザーが形成されておらず、エンボスによる凹凸形状が形成されている点が、ギャザーＧａ，Ｇｂが形成されているおむつ１Ａと異なる。以下、具体的に説明する。
【００４１】
第３実施形態のおむつ１Ｃにおいては、図７，図８に示すように、腹側把持部５ａ及び背側把持部５ｂは、エンボスによる凹凸形状を有し、凹凸形状により把持部５の空間５ｃが形成される。尚、おむつ１Ｃにおいては、図７，図８に示すように、腹側把持部５ａ及び背側把持部５ｂの何れもが、エンボスによる凹凸形状を有しているが、腹側把持部５ａ及び背側把持部５ｂの何れか一方のみが、エンボスによる凹凸形状を有していてもよい。
【００４２】
第３実施形態のおむつ１Ｃにおいては、腹側シート２Ａの腹側把持部５ａ及び背側シート２Ｂの背側把持部５ｂは、図８に示すように、外層シート２２の内面側に配された内層シート２３が幅方向（Ｘ方向）外方に連続して延出してなる把持部形成延出部５３を備え、把持部形成延出部５３をエンボス加工することにより、腹側把持部５ａ及び背側把持部５ｂそれぞれには、凹凸形状が形成されている。図７，図８に示すように、腹側シート２Ａの腹側把持部５ａが凹凸形状を有し、背側シート２Ｂが凹凸形状を有しているため、腹側把持部５ａ及び背側把持部５ｂを重ね合わせた周縁には、指先を入れる空間５ｃを有する把持部５が形成される。即ち、把持部５においては、腹側把持部５ａ及び背側把持部５ｂを重ね合わせたとしても、腹側把持部５ａの凹凸形状と背側把持部５ｂの凹凸形状により、重ね合わせた周縁同士が接合されることがなく、重ね合わせた周縁の全周に、指先を入れる空間５ｃが形成される。
【００４３】
尚、第３実施形態のおむつ１Ｃにおいては、図８に示すように、腹側シート２Ａの腹側把持部５ａ及び背側シート２Ｂの背側把持部５ｂは、内層シート２３が幅方向（Ｘ方向）外方に連続して延出してなる把持部形成延出部５３にエンボス加工による凹凸形状を形成しているが、外層シート２２が幅方向（Ｘ方向）外方に連続して延出してなる把持部形成延出部５２にエンボス加工による凹凸形状を形成してもよく、強度の観点から、外層シート２２が幅方向（Ｘ方向）外方に連続して延出してなる把持部形成延出部５２と、内層シート２３が幅方向（Ｘ方向）外方に連続して延出してなる把持部形成延出部５３とを貼り合わせ、貼り合わせた延出部にエンボス加工による凹凸形状を形成してもよい。
【００４４】
第３実施形態のパンツ型使い捨ておむつ１Ｃの形成材料について説明する。第３実施形態のおむつ１Ｃについては、第１実施形態のパンツ型使い捨ておむつ１Ａの形成材料と異なる点について説明する。特に説明しない点は、第１実施形態のおむつ１Ａの形成材料と同様であり、第１実施形態のパンツ型の使い捨ておむつ１Ａの説明が適宜適用される。
【００４５】
凹凸形状を形成するエンボスとしては、使い捨ておむつ等の吸収性物品に用いられるエンボス手段を用いて行うことができる。
【００４６】
上述した本発明の第３実施形態のパンツ型使い捨ておむつ１Ｃを使用した際の作用効果について説明する。
第３実施形態のおむつ１Ｃの効果については、第１実施形態のおむつ１Ａの効果と異なる点について説明する。特に説明しない点は、第１実施形態のおむつ１Ａの効果と同様であり、第１実施形態のパンツ型の使い捨ておむつ１Ａの効果の説明が適宜適用される。
【００４７】
第３実施形態のおむつ１Ｃにおいては、図７，図８に示すように、腹側把持部５ａにエンボスによる凹凸形状を有し、背側把持部５ｂにエンボスによる凹凸形状を有しているので、特に腹側把持部５ａと背側把持部５ｂで正反対の凹凸形状を有することにより、指先を入れる空間５ｃが形成され易く、より容易に分離することができる。
【００４８】
次に、本発明の第４実施形態のパンツ型使い捨ておむつについて、図９，図１０に基づいて説明する。
第４実施形態のパンツ型使い捨ておむつ１Ｄ（以下、「おむつ１Ｄ」ともいう）については、第１実施形態のパンツ型使い捨ておむつ１Ａと異なる点について説明する。特に説明しない点は、第１実施形態のパンツ型使い捨ておむつ１Ａと同様であり、第１実施形態のパンツ型使い捨ておむつ１Ａの説明が適宜適用される。
【００４９】
第４実施形態のおむつ１Ｄは、腹側把持部５ａ及び背側把持部５ｂの何れも、外装体（腹側シート２Ａ及び背側シート２Ｂ）と別体であり、腹側把持部５ａの幅方向（Ｘ方向）の外方端が内側に折られている点が、腹側把持部５ａ及び背側把持部５ｂそれぞれが腹側シート２Ａ及び背側シート２Ｂの幅方向（Ｘ方向）外方に連続して延出して形成されており、腹側把持部５ａにギャザーＧａが形成され、且つ背側把持部５ｂにギャザーＧｂが形成されているおむつ１Ａと異なる。以下、具体的に説明する。
【００５０】
第４実施形態のおむつ１Ｄにおいては、図９，図１０に示すように、腹側把持部５ａが、腹側シート２Ａと別体のシート材５４から形成されており、腹側シート２Ａの幅方向（Ｘ方向）外方に延出するように、サイドシール部４において、シート材５４の幅方向（Ｘ方向）の中心線ＣＬ寄りの一端部が、腹側シート２Ａの外層シート２２上に固定されている。また、背側把持部５ｂが、図９，図１０に示すように、腹側把持部５ａと同様に、背側シート２Ｂと別体のシート材５５から形成されており、背側シート２Ｂの幅方向（Ｘ方向）外方に延出するように、サイドシール部４において、シート材５５の幅方向（Ｘ方向）の中心線ＣＬ寄りの一端部が、背側シート２Ｂの外層シート２２上に固定されている。
【００５１】
第４実施形態のおむつ１Ｄにおいては、図９，図１０に示すように、腹側把持部５ａの幅方向（Ｘ方向）の他端部が、内側に折られており、他端部が折られることにより把持部５の空間５ｃが形成される。具体的には、第４実施形態のおむつ１Ｄにおいては、図９，図１０に示すように、腹側把持部５ａを形成するシート材５４の幅方向（Ｘ方向）の他端部が、内側に折られ、シート材５４の幅方向（Ｘ方向）の他端がシート材５４の内面に固定され、腹側把持部５ａの他端部にループ５６が形成されている。図９，図１０に示すように、腹側シート２Ａの腹側把持部５ａの他端部にループ５６を形成しているため、腹側把持部５ａ及び背側把持部５ｂを重ね合わせた周縁の内の、Ｙ方向には、指先を入れる空間５ｃを有する把持部５が形成される。即ち、把持部５においては、腹側把持部５ａ及び背側把持部５ｂを重ね合わせたとしても、腹側把持部５ａのループ５６により、重ね合わせた周縁同士が接合されることがなく、重ね合わせた周縁の内の、少なくともＹ方向には、指先を入れる空間５ｃが形成される。
【００５２】
尚、第４実施形態のおむつ１Ｄにおいては、図１０に示すように、腹側シート２Ａに配された腹側把持部５ａの他端部が内側に折られているが、背側シート２Ｂに配された背側把持部５ｂの他端部が内側に折られていてもよく、腹側シート２Ａに配された腹側把持部５ａの他端部及び背側シート２Ｂに配された背側把持部５ｂの他端部それぞれが内側に折られていてもよい。
【００５３】
第４実施形態のパンツ型使い捨ておむつ１Ｄの形成材料について説明する。第４実施形態のおむつ１Ｄについては、第１実施形態のパンツ型使い捨ておむつ１Ａの形成材料と異なる点について説明する。特に説明しない点は、第１実施形態のおむつ１Ａの形成材料と同様であり、第１実施形態のパンツ型の使い捨ておむつ１Ａの説明が適宜適用される。
【００５４】
外装体（腹側シート２Ａ及び背側シート２Ｂ）と別体の腹側把持部５ａ形成用のシート材５４及び背側把持部５ｂ形成用のシート材５５としては、腹側シート２Ａ及び背側シート２Ｂを構成する外層シート２２や内層シート２３と同じ材料を用いることができる。
【００５５】
外装体（腹側シート２Ａ及び背側シート２Ｂ）と、腹側把持部５ａ形成用のシート材５４及び背側把持部５ｂ形成用のシート材５５との固定には、通常、使い捨ておむつ等の吸収性物品に用いられる接着剤やヒートエンボス、超音波エンボス、高周波エンボス等の融着手段が用いられる。
【００５６】
上述した本発明の第４実施形態のパンツ型使い捨ておむつ１Ｄを使用した際の作用効果について説明する。
第４実施形態のおむつ１Ｄの効果については、第１実施形態のおむつ１Ａの効果と異なる点について説明する。特に説明しない点は、第１実施形態のおむつ１Ａの効果と同様であり、第１実施形態のパンツ型の使い捨ておむつ１Ａの効果の説明が適宜適用される。
【００５７】
第４実施形態のおむつ１Ｄにおいては、図７，図８に示すように、腹側把持部５ａの幅方向（Ｘ方向）の他端部が、内側に折られており、他端部が折られることにより把持部５の空間５ｃが形成されるので端部を把持しやすい。また、把持部５を引いても伸張しにくく、サイドシール部４を裂き易い。
【００５８】
本発明のパンツ型吸収性物品であるパンツ型使い捨ておむつは、上述の第１，第２，第３，第４実施形態のパンツ型使い捨ておむつに何ら制限されるものではなく、適宜変更可能である。また、上述の第１，第２，第３，第４実施形態のパンツ型使い捨ておむつにおける各構成要件は、本発明の趣旨を損なわない範囲で、適宜組み合わせて実施できる。
【００５９】
例えば、上述の第１，第２，第３，第４実施形態のパンツ型使い捨ておむつ１Ａ，１Ｂ，１Ｃ，１Ｄにおいては、図２に示すように、腹側シート部材２Ａと背側シート部材２Ｂとに外装体が分割されたパンツ型使い捨ておむつであるが、分割していないパンツ型使い捨ておむつでもよい。
【００６０】
また、上述の第１，第２，第３，第４実施形態のパンツ型使い捨ておむつ１Ａ，１Ｂ，１Ｃ，１Ｄにおいては、図１，図２に示すように、一対のサイドシール部４、４それぞれに、サイドシール部４から幅方向（Ｘ方向）外方に延出する把持部５を有しているが、一方のサイドシール部４にのみ把持部５を形成してもよい。
【００６１】
また、上述の第１，第２，第３，第４実施形態のパンツ型使い捨ておむつ１Ａ，１Ｂ，１Ｃ，１Ｄにおいては、図３，図５，図７，図９に示すように、腹側把持部５ａ及び背側把持部５ｂの幅方向（Ｘ方向）外方に延出しているが、例えば、腹側把持部５ａ及び背側把持部５ｂを腹側部Ａ側又は背側部Ｂ側に倒していてもよい。具体的には、第４実施形態のパンツ型使い捨ておむつ１Ｄにおいては、図１１に示すように、ループ５６を有する腹側把持部５ａを覆うように、背側把持部５ｂを腹側部Ａ側に倒し、背側把持部５ｂ形成用のシート材５５の他端部を腹側シート２Ａの外層シート２２上に固定していてもよい。
【００６２】
また、上述の第１，第２，第３，第４実施形態のパンツ型使い捨ておむつ１Ａ，１Ｂ，１Ｃ，１Ｄにおいては、図３，図５，図７，図９に示すように、腹側把持部５ａ及び背側把持部５ｂの形状が略同じであるが、同じでなくてもよい。例えば、腹側把持部５ａ又は背側把持部５ｂに、その幅方向（Ｘ方向）外方端から中心線ＣＬに向かって凸形状の切り欠き部を形成してもよい。
【００６３】
また、パンツ型吸収性物品は、幼児又は成人用のパンツ型使い捨ておむつの他、パンツ型の生理用ナプキン等であってもよい。
【符号の説明】
【００６４】
１Ａ，１Ｂ，１Ｃ，１Ｄ  パンツ型使い捨ておむつ
２Ａ  腹側シート
２０Ａ  腹側シート本体
２００  腹側シート本体の下縁
２０ａ  腹側シート本体の側縁部
２１Ａ  腹側延出部分
２０１  腹側延出部分の下縁
２１ａ  腹側延出部分の側縁部
２Ｂ  背側シート
２０Ｂ  背側シート本体
２００  背側シート本体の下縁
２０ｂ  背側シート本体の側縁部
２１Ｂ  背側延出部分
２０１  背側延出部分の下縁
２１ｂ  背側延出部分の側縁部
２２  外層シート
２３  内層シート
２４  弾性部材
３  吸収性本体
３ａ  吸収性本体の長手方向（Ｙ方向）の端部
３ｂ  吸収性本体の長手方向（Ｙ方向）の側部
３１  表面シート
３２  裏面シート
３３  吸収体
３４  弾性部材
３５  側方カフス
４  サイドシール部
５  把持部
５ａ  腹側把持部
５ｂ  背側把持部
５ｃ  空間
５２，５３  把持部形成延出部
５４，５５  シート材
５６  ループ
Ａ  腹側部，Ｂ  背側部，Ｃ  股下部
ＣＬ  おむつの長手方向に延びる中心線，ＣＴ  おむつの中心
【図１】
0005513868.tif 000002
【図２】
0005513868.tif 000003
【図３】
0005513868.tif 000004
【図４】
0005513868.tif 000005
【図５】
0005513868.tif 000006
【図６】
0005513868.tif 000007
【図７】
0005513868.tif 000008
【図８】
0005513868.tif 000009
【図９】
0005513868.tif 000010
【図１０】
0005513868.tif 000011
【図１１】
0005513868.tif 000012